(57)【特許請求の範囲】
【請求項１】
装置に着脱可能な画像形成ユニットを有する画像形成装置であって、
前記画像形成ユニットは、帯電チャージャを有する帯電ユニットと、電界シールド電極を有する現像ユニットとを含む複数のユニットに分割可能に構成されると共に複数のユニットの内少なくとも前記帯電ユニットと前記現像ユニットを含む２以上のユニットには、ユニット間接続端子が備えられており、
前記ユニット間接続端子を備えたユニットの内少なくとも前記帯電ユニットと前記現像ユニットを含む２以上のユニットは、それぞれが被給電部を有し、前記帯電ユニットについては前記帯電チャージャが前記被給電部であり、前記現像ユニットについては前記電界シールド電極が前記被給電部であり、かつ前記ユニット間接続端子を備えたユニットの内いずれか１つのユニットには、装置本体に装着されたときに当該装置本体側の給電端子と接続して電力を供給される電力供給用接続端子を備え、分割されたユニットを組立てたときに、前記ユニット間接続端子が接続されることにより被給電部間に電路が形成され、前記電力供給用接続端子を通じて装置本体から供給される電力が前記電路を介して前記被給電部にそれぞれ供給されることを特徴とする画像形成装置。
【請求項２】
前記画像形成ユニットは、さらに感光体ドラムを有するドラムユニットを備え、少なくとも前記帯電ユニット、前記現像ユニットおよび前記ドラムユニットに分割可能な構成になっており、
前記感光体ドラムは、前記帯電チャージャにより帯電された状態で露光を受けると静電潜像を形成し、形成された静電潜像が前記現像ユニットにより現像されると、その表面にトナー像を形成するものであり、
前記現像ユニットは、前記感光体ドラム上のトナー付着量を光学的に検出するセンサを備え、
前記電界シールド電極は、前記センサの周辺部近傍に設けられていることを特徴とする請求項１記載の画像形成装置。
【発明の詳細な説明】
【０００１】
【発明の属する技術分野】
本発明は、複写機やレーザプリンタなどの画像形成装置に使用される画像形成ユニットに関し、特に装置本体からの給電形態の改良に関する。
【０００２】
【従来の技術】
近年、画像形成装置の分野では、感光体ドラムを中核として、その周囲にクリーナ、帯電器、現像ローラを具備した現像器などを一体化して備えた画像形成ユニットを当該装置から着脱可能にすることによって、ユーザでも容易に交換ができるようになっている。このように、画像形成ユニット単位で交換を可能とした構成であれば、感光体ドラムと現像ローラとの相対的な位置関係を正確に維持することが可能となり、最適な現像プロセスを行えるというメリットがあるが、例えば現像器内のトナーがなくなったり、劣化すれば、感光体ドラムを含めた高価な画像形成ユニット毎で交換しなければならず、コピー画像１枚当たりのランニングコストが上がり、ユーザへのコスト負担が大きくなるばかりか、比較的寿命の長い感光体ドラムや帯電器なども同時に廃棄されることになってしまい、資源の無駄使いとなる。
【０００３】
そこで、画像形成ユニットを比較的寿命が長い高価な感光体ドラムユニットや帯電ユニットなどと、比較的寿命が短い現像ユニットなどを分割可能に構成する方法が考えられている。このように構成すれば、ユーザは寿命が短いユニットだけを交換することが可能となり、上述したようなコスト負担などを軽減できるし、各ユニットを合体させる際に相対的な位置決めが確実に行えるような構成にしておけば、現像プロセスなども最適に行うことができる。
【０００４】
ところで、画像形成ユニット内には、帯電ユニットのワイヤやグリッド、現像ユニットの現像ローラなどのような高圧を必要とする部品が含まれており、画像形成ユニットが画像形成装置本体へ装着された際に、各部品から引き出された接続端子が、本体側の高圧電源部から引き出された給電端子とそれぞれ接続することにより給電されるようになっている。
【０００５】
【発明が解決しようとする課題】
しかしながら、上述した帯電ユニットや現像ユニットなどは、ユニット単位で交換可能に構成されているため、ユニット毎に装置本体との接続端子が設けられている。このように接続端子（給電端子）が多くなると、その分各ユニットと装置本体に接続端子を設けるスペースを確保することがそれぞれ必要となる。また、高圧を供給する接続端子については、絶縁性の面からより大きなスペースを確保することが必要となる。特に、現像ユニットにおいては、現像剤を搬送する現像ローラや攪拌ローラなどが複数設けられており、これらのローラを駆動させるための複数のギヤやカップリングなどが現像ユニット背面と装置本体奥側フレーム間に介在して大きなスペースを占有しているため、ギヤなどのスペースを避けて現像ユニットと装置本体側に接続端子、特に高圧を供給する接続端子を設けることが困難であり、接続端子を設けるスペースを確保するために現像ユニットをその部分だけ上方や横方に突出させた形状にせざるを得ない。このようになると、現像ユニットは接続端子の取付部分だけ高さが高くなったり幅広になって、占有面積が大きくなり、画像形成ユニットの小型化において支障となる。特に、タンデム形のフルカラー画像形成装置のように複数の画像形成ユニットを転写ベルトに沿って配設する場合には、装置を小型化するために画像形成ユニットをより小型にしたものが望まれるが、上述したような占有面積の大きな現像ユニットを使用すれば、装置の小型化に大きな問題となる。
【０００６】
本発明は、上述したような問題点に鑑みてされたものであって、複数のユニットに分割可能に構成された画像形成ユニットを有する画像形成装置であって、当該画像形成装置本体との接続端子の数をできるだけ少なくすることにより小型化を図った画像形成ユニットを備えた画像形成装置を提供することを目的とする。また、このような画像形成装置に用いるユニットを提供することを目的とする。
【０００７】
【課題を解決するための手段】
上記目的を達成するために本発明は、装置に着脱可能な画像形成ユニットを有する画像形成装置であって、前記画像形成ユニットは、帯電チャージャを有する帯電ユニットと、電界シールド電極を有する現像ユニットとを含む複数のユニットに分割可能に構成されると共に複数のユニットの内少なくとも前記帯電ユニットと前記現像ユニットを含む２以上のユニットには、ユニット間接続端子が備えられており、前記ユニット間接続端子を備えたユニットの内少なくとも前記帯電ユニットと前記現像ユニットを含む２以上のユニットは、それぞれが被給電部を有し、前記帯電ユニットについては前記帯電チャージャが前記被給電部であり、前記現像ユニットについては前記電界シールド電極が前記被給電部であり、かつ前記ユニット間接続端子を備えたユニットの内いずれか１つのユニットには、装置本体に装着されたときに当該装置本体側の給電端子と接続して電力を供給される電力供給用接続端子を備え、分割されたユニットを組立てたときに、前記ユニット間接続端子が接続されることにより被給電部間に電路が形成され、前記電力供給用接続端子を通じて装置本体から供給される電力が前記電路を介して前記被給電部にそれぞれ供給されることを特徴とする。
【０００８】
また、前記画像形成ユニットは、さらに感光体ドラムを有するドラムユニットを備え、少なくとも前記帯電ユニット、前記現像ユニットおよび前記ドラムユニットに分割可能な構成になっており、前記感光体ドラムは、前記帯電チャージャにより帯電された状態で露光を受けると静電潜像を形成し、形成された静電潜像が前記現像ユニットにより現像されると、その表面にトナー像を形成するものであり、前記現像ユニットは、前記感光体ドラム上のトナー付着量を光学的に検出するセンサを備え、前記電界シールド電極は、前記センサの周辺部近傍に設けられていることを特徴とする。
【０００９】
【発明の実施の形態】
以下、本発明に係る画像形成装置の実施の形態を、タンデム型カラーデジタル複写機（以下、単に「複写機」という。）について説明する。
（１）複写機全体の構成
図１は、本実施の形態に係る複写機１の全体の構成を示す図である。
【００１０】
同図に示すように、当該複写機１は、大きく分けて、原稿を自動的に搬送する原稿自動搬送装置２と、搬送された原稿の画像を読み取るイメージリーダ部１０と、このイメージリーダ部１０で読み取った画像を記録シート上にプリントして再現するプリンタ部２０とから構成される。
原稿自動搬送装置２は、原稿給紙トレイ３に載置された原稿を原稿搬送ベルトによってイメージリーダ部１０の原稿ガラス板（不図示）上に設定された所定の原稿読取位置まで搬送し、イメージリーダ部１０のスキャナによってスキャンされると、再び当該原稿を原稿搬送ベルトによって同図の右方向に送り、原稿排紙トレイ４上に排出する公知の装置である。
【００１１】
イメージリーダ部１０は、原稿ガラス板（不図示）に載置された原稿の画像をスキャナを移動させて読み取る公知のものであって、スキャナに設置された露光ランプの照射により得られた原稿画像は、集光レンズにより結像され、さらに分光器によりレッド（Ｒ）、グリーン（Ｇ）、ブルー（Ｂ）の３種類の波長の光に分光されて、ＣＣＤイメージセンサに入射され、原稿のＲ、Ｇ、Ｂの画像データが得られる。
【００１２】
このイメージリーダ部１０で得られた各色成分毎の画像データは、制御部１００において各種のデータ処理を受け、更にシアン（Ｃ），マゼンタ（Ｍ），イエロー（Ｙ），ブラック（Ｋ）の各再現色の画像データに変換される（以下、シアン、マゼンタ、イエロー、ブラックの各再現色をＣ、Ｍ、Ｙ、Ｋと表し、各再現色に関連する構成部分の番号にこのＣ、Ｍ、Ｙ、Ｋを添字として付加する）。
【００１３】
画像データは、制御部１００内の画像メモリ（不図示）に各再現色ごとに格納され、記録シートの供給と同期して１走査ラインごとに読み出されてレーザダイオードの駆動信号となる。
プリンタ部２０は、周知の電子写真方式により画像を形成するものであって、駆動ローラ８５、従動ローラ８４、テンションローラ８３に張架されてなる転写ベルト８２に対向して記録シート搬送方向上流側（以降、単に「上流側」という）から搬送方向下流側（以降、単に「下流側」という）に沿って所定間隔で配置されたＣ、Ｍ、Ｙ、Ｋの各色の画像形成ユニット４０Ｃ〜４０Ｋと、各画像形成ユニットごとに設けられた露光走査部３０Ｃ〜３０Ｋと、転写ベルト８２の上流側に記録シートを給送する給紙部９０と、下流側に配置された定着部８６などからなる。
【００１４】
露光走査部３０Ｃ〜３０Ｋは、それぞれ上記制御部１００から出力された駆動信号を受けてレーザ光を発するレーザダイオードや、このレーザ光を偏向して感光体ドラム７１Ｃ〜７１Ｋ上を主走査方向に露光走査させるためのポリゴンミラ−等を備える。
画像形成ユニット４０Ｃ〜４０Ｋは、現像ユニット５０Ｃ〜５０Ｋ、帯電ユニット６０Ｃ〜６０Ｋ、感光体ドラム７１Ｃ〜７１Ｋを備えるドラムユニット７０Ｃ〜７０Ｋからなり、ユーザでも容易に複写機１本体から着脱できるように構成されている。
【００１５】
給紙部９０は、サイズの異なる記録シートを収納する給紙カセット９１〜９４と、この記録シートを各給紙カセットから繰り出すためのピックアップローラ９５〜９８、転写ベルト８２に送り出すタイミングをとるためのレジストローラ９９などからなる。
感光体ドラム７１Ｃ〜７１Ｋが帯電ユニット６０Ｃ〜６０Ｋにより一様に帯電された状態で、上記レーザ光による露光を受けると、感光体ドラム７１Ｃ〜７１Ｋの表面に静電潜像が形成され、各静電潜像は、それぞれ各色の現像ユニット５０Ｍ〜５０Ｋにより現像され、これにより感光体ドラム７１Ｃ〜７１Ｋ表面にＣ、Ｍ、Ｙ、Ｋのトナー像が形成される。これらの各色トナー像は、各転写位置において転写ベルト８２の裏面側に配設された転写チャージャ８１Ｃ〜８１Ｋの静電的作用により、転写ベルト８２により搬送されてくる記録シート上に順次転写されていく。この際、各色の作像動作は、搬送されてくる記録シートの同じ位置にそのトナー像が重ね合わせて転写されるように、上流側から下流側に向けてタイミングをずらして実行される。
【００１６】
各色のトナー像が多重転写された記録シートは、転写ベルト８２により定着部８６にまで搬送される。定着部８６は、内部にヒータを備えた定着ローラ８６１で記録シートを高熱で加圧して、その表面のトナー粒子をシート表面に融着して定着させる。定着後の記録シートは、排紙トレイ８７上に排出される。
図２は、画像形成ユニット４０Ｃを正面から見たときの拡大図である。画像形成ユニット４０Ｃ〜４０Ｋは、それぞれが同一の構成なので、以下、画像形成ユニット４０Ｃを例にとって説明する。
【００１７】
画像形成ユニット４０Ｃは、現像ユニット５０Ｃ、帯電ユニット６０Ｃ、ドラムユニット７０Ｃから構成され、この状態で複写機１本体から着脱できるようになっている。
同図に示すように、現像ユニット５０Ｃは、現像ハウジング５１Ｃの正面に設けられた位置決めピン５６Ｃ（２個）がドラムハウジング７２ＣのＵ字溝にそれぞれはまり込むことにより、ドラムユニット７０Ｃとの相対的な位置関係が決定される。
【００１８】
一方、帯電ユニット６０Ｃは、帯電ホルダ６５Ｃがドラムハウジング７２Ｃに設けられた図示しないスライド溝に上方からはまり込むことにより位置決めされる。このように、現像ユニット５０Ｃと帯電ユニット６０Ｃは、持ち上げれば容易にドラムユニット７０Ｃから分割できるようになっており、ユーザは寿命となったユニットをそれぞれを別々に交換することができる。
【００１９】
図３は、画像形成ユニット４０Ｃのドラム軸方向中央部における正面断面図である。
ドラムユニット７０Ｃは、感光体ドラム７１Ｃと感光体ドラム７１Ｃの両端を軸受７３Ｃ（図２参照）を介して保持するドラムハウジング７２Ｃと感光体ドラム７１上の残留トナーをかきおとすクリーナブレード７４Ｃと、かきおとされたトナーを回収するトナーシール７５Ｃと、回収されたトナーをドラム軸方向奥側に搬送する搬送スクリュ７８Ｃとから構成される。搬送スクリュ７８Ｃにより搬送されたトナーは、図示しないが、奥側に設けられた排出口より排出されトナー回収タンクに回収される。
【００２０】
帯電ユニット６０Ｃは、感光体ドラム７１Ｃを所定電位に帯電する帯電チャージャ６１Ｃと感光体ドラム７１Ｃの残留電荷を除去する、ＬＥＤアレイなどからなる除電イレーサ６４Ｃと、帯電チャージャ６１Ｃの放電により発生するオゾンを複写機１本体奥側のフレームに装着された吸引ファン（図示せず）まで送り出す吸引ダクト６６Ｃとから構成される。
【００２１】
帯電チャージャ６１Ｃは、コロナ放電を発生させる針電極６３Ｃと帯電チャージャ６１Ｃの開口側に配設されたメッシュ状のグリッド電極６２Ｃを有し、これらは複写機１本体側に配設された高圧電源部（図示せず）から所定の電圧を供給され、画像形成時に感光体ドラム７１Ｃ表面を帯電させると共にその電位を均一化している。
【００２２】
現像ユニット５０Ｃは、トナーとキャリアとからなる現像剤が収容された現像ハウジング５１Ｃと、感光体ドラム７１Ｃ上の静電潜像を可視像化する現像材担持体としての現像ローラ５２Ｃと、現像ローラ５２Ｃに所定の間隔を介して配設されて現像ローラ５２Ｃ上の現像剤量を所定量に規制するドクターブレード５８Ｃと、現像ハウジング５１Ｃ内の現像剤を攪拌して現像ローラ５２Ｃに送り込む攪拌ローラ５３Ｃ〜５５Ｃなどを備える。現像ローラ５２Ｃ上の現像剤は、現像ローラ５２Ｃの回転（図の矢印方向）によって、感光体ドラム７１Ｃとの対向領域に搬送される。そして、この現像剤中のトナーが感光体ドラム７１Ｃ上の静電潜像に供給されて静電潜像を可視像化する。
【００２３】
また、現像ローラ５２Ｃ下方には、感光体ドラム７１Ｃ上のトナー付着量を光学的に検出し、その検出値を制御部１００に送出するＡＩＤＣセンサ５７Ｃが配設されている。制御部１００は、この検出値をもとに、図示しない高圧電源部に信号を送り、グリッド電極６２Ｃに供給するグリッド電圧の電圧値を制御する。さらに、現像ローラ５２Ｃの下方には、現像ハウジング５１Ｃの感光体ドラム７１と対向する面から現像ハウジング５１Ｃの底面にかけて、板状であって現像ローラ５２Ｃとほぼ同一の長さを有する電界シールド電極５９Ｃが配設されている。現像剤中のトナーが感光体ドラム７１Ｃ上に移動して静電潜像を可視像化する際に、現像ローラ５２Ｃの遠心力の影響によって一部のトナーが現像剤搬送方向下流側（図の下方）に飛散することがあるので、この電界シールド電極５９Ｃにグリッド電圧と同電位の電圧をかけて、飛散したトナーを引き寄せ記録シート上に落下させないようにしている。
【００２４】
同図に示すように、ドラムハウジング７２Ｃの奥側フレーム７２１Ｃ内面には、軸受７３Ｃの周囲に電極板７６Ｃが配設され、その端部にある接続端子７６１Ｃが電界シールド電極５９Ｃの下面と接触しており、さらに電極板７６Ｃのもう一方の端部に固着されたバネ状の接続端子７６２Ｃがグリッド電極６２Ｃにグリッド電圧を供給する電力供給用接続端子６２１Ｃ（図５参照）と接触しているので、グリッド電極６２Ｃと電界シールド電極５９Ｃの間に電路が形成され、グリッド電極６２Ｃに印加された電圧が電極板７６Ｃを経て、電界シールド電極５９Ｃにかかるようになる。
【００２５】
また、電界シールド電極５９Ｃは、ＡＩＤＣセンサ５７Ｃの感光体ドラム７１Ｃとの対向面を覆うことのないように、ＡＩＤＣセンサ５７Ｃが取り付けられている部分が切り取られているので、ＡＩＤＣセンサ５７Ｃが感光体ドラム７１Ｃ上のトナー付着量を検出する動作の妨げにならず、また飛散したトナーは電界シールド電極５９Ｃに引き寄せられるので、センサ面上に付着して検出精度を低下させることがない。
【００２６】
なお、画像形成が終了して、グリッド電極６２Ｃにグリッド電圧が印加されなくなると、電界シールド電極５９Ｃにもグリッド電圧がかからなくなり、電界シールド電極５９Ｃ表面に静電的に付着していたトナーが転写ベルト８２上に落下して転写ベルト８２を汚すことがある。これを防止するために、例えばトナーを下方から受けるシール部材（図示せず）を現像ハウジング５１Ｃに配設しておけばよい。
【００２７】
図４は、画像形成ユニット４０Ｃを各ユニットに分割したときのドラム軸方向中央部における正面断面図である。同図より、ドラムユニット７０Ｃから帯電ユニット６０Ｃと現像ユニット５０Ｃを分離すると、電極板７６Ｃの端部にある接続端子７６２Ｃはグリッド電極６２Ｃから離れ、もう一方の接続端子７６１Ｃも現像ハウジング５１Ｃに配設された電界シールド電極５９Ｃから離れるので、これによりグリッド電極６２Ｃから電界シールド電極５９Ｃに至る電路が切断される。
【００２８】
図５は、図２のＡ―Ａ線における画像形成ユニット４０の矢視縦断面図であって、複写機１本体の奥側フレーム２００に設けられた高圧電源ホルダ２０３Ｃと接続する部分を示している。
帯電ユニット６０Ｃの帯電ハウジング６７Ｃには、針電極６３Ｃとグリッド電極６２Ｃから引き出された電力供給用接続端子６３１Ｃ、６２１Ｃが設けられている。また、複写機１本体の奥側フレーム２００には、高圧電源部（図示せず）から引き出された給電端子２０１Ｃ、２０２Ｃを備える高圧電源ホルダ２０３が配設され、画像形成ユニット４０Ｃを複写機１本体に装着したときに、電力供給用接続端子６３１Ｃ、６２１Ｃが当該給電端子２０１Ｃ、２０２Ｃと接続することにより、針電極６３Ｃとグリッド電極６２Ｃに所定の電圧が供給される。その際、給電端子２０２Ｃからの電圧は、電力供給用接続端子６２１Ｃを経て、グリッド電極６２Ｃに供給されると共に、当該電力供給用接続端子６２１Ｃに接触している接続端子７６２Ｃと電極板７６Ｃを経て、電界シールド電極５９Ｃにも供給される。
【００２９】
このように、分割されたユニットを組み立てたときに、ユニット間を接続するユニット間接続端子（７６１Ｃ、５９Ｃが７６１Ｃと接触する部分（図３参照）、７６２Ｃ、６２１Ｃが７６２Ｃと接触する部分）がそれぞれ接続されて、グリッド電極６２Ｃと電界シールド電極５９Ｃとの間（被給電部間）に電路が形成されるような構成にしておけば、帯電ユニット６０Ｃに電力供給用接続端子６２１Ｃを１つ設けるだけでよくなり、ユニット毎に電力供給用接続端子を設ける従来の方法に比べ、その数を減らすことができる。これにより、現像ユニット５０Ｃには、電界シールド電極５９Ｃに対する電力供給用接続端子を設けずにすみ、従来のように現像ユニットを上述したような突出形状にしなくてもよくなるので、その分のスペースが省略でき、画像形成ユニット４０Ｃの小型化を図ることが可能となる。さらに、給電端子の数が減れば、複写機１本体側の電線の数も減って配線処理が簡易になると共に、そのスペースを確保する必要もなくなる。
【００３０】
また、画像形成ユニット４０Ｃ内に同電位の電圧をかける部品が３つ以上ある場合であっても、上記と同様の構成にしておけば同様の効果を得ることができる。
なお、図５では図示を省略したが、現像ユニット５０Ｃには、ＡＩＤＣセンサ５７Ｃの電力供給用接続端子が配設される。ＡＩＤＣセンサ５７Ｃは低電圧、例えば５Ｖ程度の電圧が供給される部品であり、電界シールド電極５９Ｃのような高圧、例えば１０００Ｖ程度が供給される部品に比べて大きな接続端子を必要としないので、現像ユニット５０Ｃの背面に小さな配置スペースを確保できれば電力供給用接続端子を配設できる。また、たとえ現像ユニット５０Ｃの背面にその程度のスペースを確保できなくても、高圧端子のような大きなスペースを新設する必要はなく、極めて小さな配置スペースで足りるので、従来に比べて画像形成ユニット４０Ｃの小型化を図ることができる。
（２）変形例
なお、本発明は、上記実施の形態に限定されないのは言うまでもなく、以下のような変形例を考えることができる。
【００３１】
（２−１）上記画像形成ユニット４０Ｃでは、電極板７６Ｃの端部に設けられた接続端子７６１Ｃが電界シールド電極５９Ｃに直接接触して電路が形成されるように構成されているが、例えば電極板７６Ｃと電界シールド電極５９Ｃから引き出した電線にそれぞれプラグを設けて、これらのプラグをユニット間接続端子とし、当該画像形成ユニット４０Ｃを組み立てたときに、これらのプラグがお互いに差し込まれて電路が形成されるような構成にしてもよい。また、画像形成ユニット４０Ｃ内に異なる電圧をかける部品群が２以上あっても、電圧値毎に電路が形成されるような構成にすれば、上述した効果と同様の効果を得ることができる。
【００３２】
（２−２）上記実施の形態では、複写機１本体に設けられた給電端子２０１Ｃ、２０２Ｃから電力を受け取る電力供給用接続端子６２１Ｃ、６３１Ｃを帯電ユニット６０Ｃに配設したが、配設スペースを確保できれば帯電ユニット６０Ｃ以外のユニット、例えばドラムユニット７０に配設するようにしてもよい。
（２−３）上記実施の形態では、フルカラーのタンデム型複写機について説明したが、本発明は、フルカラー複写機に限らず、モノカラー複写機やレーザプリンタなどを含む電子写真式の画像形成装置に使用する画像形成ユニットに適用可能である。
【００３３】
【発明の効果】
以上説明してきたように本発明によれば、分割されたユニットを組み立てたときに、ユニット間接続端子が接続されて、複数の被給電部間に電路が形成され、当該画像形成ユニットを画像形成装置本体に装着したときに、電力供給用接続端子が当該装置本体側の給電端子と接続することによって、当該装置から供給される電力が被給電部にそれぞれ供給される。その結果、従来のようにユニット毎に電力供給用接続端子を設けなくてもよくなり、その数を全体的に減らすことができる。これにより、当該電力供給用接続端子を設けるために要していたスペースを減らすことができるので、画像形成ユニットの小型化を図ることができる。特に、タンデム型のフルカラー画像形成装置においては、画像形成ユニットが転写ベルトに沿って配設される構成なので、画像形成ユニットを小型化できれば画像形成装置の小型化にも大きな効果を奏する。
【００３４】
さらに、給電端子の数が減れば、当該給電端子までに要していた電線も不要になって画像形成装置内の配線処理が簡易になると共に、そのスペースを確保する必要もなくなる。
また、前記被給電部を帯電ユニットにおける帯電チャージャと現像ユニットにおける電界シールド電極に適用でき、ユニット毎に電力供給用接続端子を設けなくてもよくなる。特に、現像ユニットに当該電力供給用接続端子のような大きなスペースを必要とする端子を設けなくてもよくなるので、現像ユニットを小型化でき、ひいては画像形成ユニット４０Ｃ〜４０Ｋの小型化が図れる。
【図面の簡単な説明】
【図１】本発明の実施の形態に係るタンデム型のフルカラー複写機の構成を示す図である。
【図２】上記複写機内の画像形成ユニットを正面から見たときの拡大図である。
【図３】上記画像形成ユニットのドラム軸中央部における正面断面図である。
【図４】上記画像形成ユニットを各ユニットに分割したときのドラム軸中央部における正面断面図である。
【図５】上記図２のＡ−Ａ線における画像形成ユニットの縦断面図である。
【符号の説明】
１              複写機
２０              プリンタ部
４０Ｃ〜４０Ｋ    画像形成ユニット
５０Ｃ〜５０Ｋ    現像ユニット
５６Ｃ            位置決めピン
５７Ｃ            ＡＩＤＣセンサ
５９Ｃ            電界シールド電極
６０Ｃ〜６０Ｋ    帯電ユニット
６１Ｃ            帯電チャージャ
６２Ｃ            グリッド電極
６３Ｃ            針電極
６５Ｃ            帯電ホルダ
６７Ｃ            帯電ハウジング
７０Ｃ〜７０Ｋ    ドラムユニット
７２Ｃ            ドラムハウジング
７３Ｃ            軸受
７６Ｃ            電極板
２００              奥側フレーム
２０１Ｃ、２０２Ｃ  給電端子
２０３Ｃ            高圧電源ホルダ
６２１Ｃ、６３１Ｃ  電力供給用接続端子
７２１Ｃ            奥側フレーム
７６１Ｃ、７６２Ｃ  接続端子
【図１】
0003623353.tif 000002
【図２】
0003623353.tif 000003
【図３】
0003623353.tif 000004
【図４】
0003623353.tif 000005
【図５】
0003623353.tif 000006